(57)【特許請求の範囲】
【請求項１】
上端が開口した長方形状の支持容器の一側にクランク室を形成し、底面に多数の小透孔が開設された篩容器を該支持容器内にフランジ部を該支持容器の上端開口縁上に支持することで着脱自在で水平移動自在に設け、該篩容器のフランジ部にクランク室上に延びる連結部を延設し、該連結部に形成された挿入口よりクランク室内に溝付レールを垂下し、該溝付レールのスライド溝内にクランク機構のクランクピンを摺接させ、該クランク機構を駆動源に連結し、該駆動源により該クランク機構を介して該篩容器を該支持容器内にて往復動させるとともに、該篩容器の外側端面または該支持容器の内側端面に往復動時の衝突により該篩容器に衝撃を加える弾性片を突設してなることを特徴とした米胚芽篩い分け装置。
【発明の詳細な説明】
【０００１】
【発明の属する技術分野】
本発明は精米時に米から離脱する粉状排出物から米胚芽を篩い分ける装置に関するものである。
【０００２】
【従来の技術】
精米機によって玄米を精米する時に米から離脱し排出される粉状排出物は、周知のように従来は漬物に使用される他は利用道が殆どなく大半は廃棄処分されていた。しかし、この粉状排出物には、糠だけでなく、ビタミンＥを多く含み栄養的に極めて価値のある米胚芽が含まれていることから、この粉状排出物から米胚芽を篩い分けして健康食品として利用しようとする試みがされている。
【０００３】
【発明が解決しようとする課題】
しかし上記粉状排出物は、例えば振動モータ等を使用した従来の一般的な振動篩い機にかけると、団子状に固まってしまい米胚芽をうまく篩い分けすることができないという問題があった。
本発明は、このような課題を解決し、簡単な操作で粉状排出物から米胚芽を手軽に篩い分けできるようにする装置を提供するものである。
【０００４】
【課題を解決するための手段】
そのために本発明に係る米胚芽篩い分け装置は、上端が開口した長方形状の支持容器の一側にクランク室を形成し、底面に多数の小透孔が開設された篩容器を該支持容器内にフランジ部を該支持容器の上端開口縁上に支持することで着脱自在で水平移動自在に設け、該篩容器のフランジ部にクランク室上に延びる連結部を延設し、該連結部に形成された挿入口よりクランク室内に溝付レールを垂下し、該溝付レールのスライド溝内にクランク機構のクランクピンを摺接させ、該クランク機構を駆動源に連結し、該駆動源により該クランク機構を介して該篩容器を該支持容器内にて往復動させるとともに、該篩容器の外側端面または該支持容器の内側端面に往復動時の衝突により該篩容器に衝撃を加える弾性片を突設してなることを特徴とする。
【０００５】
【発明の実施の形態】
次に図面と共に本発明の実施の形態を説明する。図１は本発明に係る米胚芽篩い分け装置を一部破断面にて示した外観斜視図、図２はその分解斜視図、図３は縦断面図である。図中、１は透明なプラスチックにより成形された略長方形状の支持容器、２は該支持容器の上面開口に被る透明なプラスチック製の開閉蓋である。３は該支持容器の一側に一体に形成され上面４が開口しているクランク室で、該クランク室の前面は蓋板６がビス止され、該蓋板の内面にはギヤボックス７がビス止されている。
【０００６】
また、８は支持容器より少し短手でしかも少し浅く形成されたプラスチック製の篩容器で、該篩容器の底面部には下方に向ってテーパ状に拡径し、上面での内径が１．２ｍｍで、下面での内径が２ｍｍの四角形の小透孔９が多数開設されている。そして該篩容器のフランジ部１０を支持容器１の上端開口縁上に乗せることにより、該篩容器を着脱自在で支持容器内にて矢印の方向に水平移動自在に支持している。なお、篩容器８の両端部外面にゴムからなる弾性片１１が突設され、該弾性片を支持容器１の両端部内面に形成された凹状受部１２と対峙させている。そして、支持容器１内における該篩容器８の水平移動可能な行程を５１ｍｍに設定している。
【０００７】
篩容器８のフランジ部１０の一部には前記クランク室３上に延びる連結部１３が延設され、該連結部に長方形状の挿入口１４が形成され、該挿入口の下側に該連結部と一体の角筒状部１５が形成されている。１６は上端につまみ部１７が形成され、前面に上下方向に延びるスライド溝１８が形成された板状の溝付レールである。また、１９は手動回転し得るように前記蓋板６より外部に突設されたハンドル、２０は該ハンドルの回転軸、２１はギヤボックス７中にあって該回転軸に固着された大歯車、２２は該大歯車に噛合する小歯車、２３は該小歯車軸に固着されクランク室中に突設されたクランク、２４はクランクピンで、該ハンドルの回転が該歯車により増速されクランク室中にて該クランクピンを回転させる。そして前記挿入口１４より前記溝付レール１６を該クランク室中に垂下することでスライド溝１８内に該クランクピン２４が摺接せられるようにしている。このため、クランクピン２４が回転すると篩容器８が溝付レール１６とともに往復動し、その往復動時に弾性片１１が支持容器１内面に衝突し該篩容器８に衝撃が与えられるようにしている。なおその往復動のストロークは支持容器１の長手方向の内法と篩容器８の長手方向の外径との差から５１ｍｍとなるように設定されている。
【０００８】
この篩い分け装置では、玄米を精米機に通して精米した時に米から離脱した粉状排出物を上記篩容器８に容れ、開閉蓋２を被せ、ハンドル１９を回転させて該篩容器８を支持容器１内にて左右に往復動させることにより、弾性片１１を支持容器１内面に衝突させ該篩容器８に衝撃が加えられる。このため、該篩容器内の粉状排出物は米胚芽と糠とに分離され、糠分は小透孔９を通過し支持容器１中に篩い落され、米胚芽だけが該篩容器８中に残る。なお、このように篩い分けがスムースに行われるためには、篩容器８の往復動ストロークを５０ｍｍ以上に設定することで、該篩容器中の粉状排出物に所期の加速度が加わるようにすると同時に、上記衝撃による急停止が、粉状排出物を団子状に固まらせることなく米胚芽と糠とに効果的に分離させることとなる。
【０００９】
そしてこの装置では、つまみ部１７を持ち上げ溝付レール１６を引き上げることによってクランクピン２４との連繋が絶たれ、篩容器８を洗浄を必要とする場合等に支持容器１内から容易に取り出すことができる。
【００１０】
一方、図４〜図９は本発明に係る米胚芽篩い分け装置をモータによって駆動するように構成した実施形態を示し、図４はその外観斜視図、図５は内部の斜視図、図６は図４の縦断面図、図７は図４の横断面図である。図中、１０１は底板１０２上に固設した略長方形状の支持容器、１０３は該支持容器中に矢印の方向にスライド可能に設けられた引出箱、１０４は該引出箱の表面に形成された取手、１０５は該支持容器の両側壁の上縁部に形成されたガイドレールである。
【００１１】
１０６は該ガイドレール１０５に沿って水平移動自在なるように設けられた移動枠体で、該移動枠体の両側縁に形成された脚部１０７を該ガイドレール上に滑動可能に載置するとともに該脚部の先端部に固着した小軸１０８を該ガイドレールの裏側に摺接させることで該脚部が該ガイドレール上から離脱しないように保持している。また、該移動枠体１０６の一側縁に垂下片１０９を形成し、クランク機構１１０を介して該移動枠体１０６をモータ１１１に連結している。該クランク機構１１０は、垂下片１０９の下端部に突設されたピン１１２にリンク１１３を枢支し、該リンクの先端にピン１１４を介してリンク１１５を連接し、該リンク１１５をモータ１１１の回転軸１１６に止着してなり、該モータ１１１の作動で該リンク１１５が回転動することによりリンク１１３がクランク運動し移動枠体１０６を往復動させる。なお、回転軸１１６とピン１１４との間の長さ（リンク１１５の実効長）は２６ｍｍであり、モータ１１１の回転速度は２４０ｒｐｍに設定されている。このため、移動枠体１０６の往復動数は２４０回／分であり、その往復動ストロークは５２ｍｍとなる。
【００１２】
また、１１７は移動枠体１０６の両端部に突設されたゴムからなる弾性片で、移動枠体１０６が往復動されたとき該弾性片１１７が支持容器１０１の内面に衝突する。また、１１８は該モータ１１１の電源スイッチ、１１９はタイマー設定用ダイヤルである。
【００１３】
また、１２０は上端縁に形成されたフランジ部１２１を載架することにより移動枠体１０６内に着脱自在に支持された篩容器で、該篩容器１２０の底面部１２２には、図８,図９に拡大して示したように、厚さ２ｍｍの底面部１２２の下方に向ってテーパ状に拡径し、上面での内径が１．２ｍｍで、下面での内径が２ｍｍの四角形の小透孔１２３が定間隔で多数形成されている。なお、１２４はこの装置のアウターケース、１２５はその蓋体である。
【００１４】
このように構成した篩い分け装置では、玄米を精米機に通して精米した時に米から離脱した粉状排出物を上記篩容器１２０に容れて該篩容器を移動枠体１０６内にセットし、上記タイマー設定によってモータ１１１を作動させ該篩容器１２０を数分間往復動させる。その往復動時に弾性片１１７が支持容器１０１の内面に衝突し、その衝撃が篩容器１２０に加えられる。このため、該篩容器内の粉状排出物は米胚芽と糠とに分離され、糠分は小透孔１２３を通過し引出箱１０３中に篩い落され、米胚芽だけが該篩容器中に残る。なお、このように篩い分けがスムースに行われるためには、移動枠体１０６の往復動数を２００回／分以上にするとともに、その往復動ストロークを５０ｍｍ以上に設定することで、篩容器中の粉状排出物に所期の加速度が加わるようにすると同時に、上記衝撃による急停止が粉状排出物を団子状に固まらせることなく米胚芽と糠とに効果的に分離させることとなる。
【００１５】
なお、本発明は上記実施形態に限定されることなく、種々の変更が可能である。例えば上記弾性片１１７は移動枠体１０６の両端部に突設したが、一端部に設けただけでもよく、或は、支持容器１０１の内面、または篩容器１２０に設けるようにしてもよい。
【００１６】
【発明の効果】
このように本発明に係る米胚芽篩い分け装置は、底面に多数の小透孔が開設された篩容器を該支持容器内に着脱自在で水平移動自在に設け、該篩容器を駆動源に連結し支持容器内にて往復動させ、該篩容器の外側端面または該支持容器の内側端面に突設された弾性片を往復動時に衝突させ該篩容器に衝撃が加えられるようにしたので、米胚芽を効率よく篩い分けることができ、従来はその殆どが廃棄物として処理されていた粉状排出物から、健康維持のために極めて価値のある米胚芽を手軽に利用できるようにする有益な効果がある。
【図面の簡単な説明】
【図１】本発明の実施形態である米胚芽篩い分け装置を一部破断面にて示した外観斜視図。
【図２】図１に示した米胚芽篩い分け装置の分解斜視図。
【図３】図１に示した米胚芽篩い分け装置の縦断面図。
【図４】本発明の他の実施形態を示す米胚芽篩い分け装置の外観斜視図。
【図５】図４に示した米胚芽篩い分け装置の内部の斜視図。
【図６】図４に示した米胚芽篩い分け装置の縦断面図。
【図７】図４に示した米胚芽篩い分け装置の横断面図。
【図８】本発明に係る米胚芽篩い分け装置の篩容器の底面部の部分拡大平面図。
【図９】本発明に係る米胚芽篩い分け装置の篩容器の底面部の部分拡大縦断面図。
【符号の説明】
１        支持容器
３        クランク室
７        ギヤボックス
８        篩容器
９        小透孔
１０      フランジ部
１１      弾性片
１３      連結部
１４      挿入口
１６      溝付レール
１８      スライド溝
１９      ハンドル
２３      クランク
２４      クランクピン
１０１    支持容器
１０３    引出箱
１０５    ガイドレール
１０６    移動枠体
１１０    クランク機構
１１１    モータ
１１７    弾性片
１２０    篩容器
１２３    小透孔
【図１】
0004029003.tif 000002
【図２】
0004029003.tif 000003
【図３】
0004029003.tif 000004
【図４】
0004029003.tif 000005
【図５】
0004029003.tif 000006
【図６】
0004029003.tif 000007
【図７】
0004029003.tif 000008
【図８】
0004029003.tif 000009
【図９】
0004029003.tif 000010